(57)【要約】【課題】  薬用瓶の口金に対する挟持力を微妙に調整することが可能な薬用瓶の蓋の提供を課題とする。【解決手段】  薬用瓶の口金の透孔の周辺部を挟むための複数個の係止爪２４を有する蓋部材本体２０は、頂面板２２と周胴部２１とによって構成されている。各係止爪２４は、頂面板２２に連設されている基端部２４ａと複数個の先端部２４ｂとによって構成されている。係止爪２４の口金に接触する面２４ｃは平面形状に形成され、この面２４ｃと反対側の面２４ｄとの間の側面部分は、その厚みが先端に近づくに従って薄くなるような曲面形状に形成されている。【選択図】  図１
0003200354.tif 000002
【実用新案登録請求の範囲】
【請求項１】
ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、
前記口金は、円筒体からなる周胴部の上面に口金頂面板を一体的に形成することによって構成され、前記口金頂面板にはその中央部に円形の透孔が穿設され、
前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、
前記係止爪は、前記頂面板との連設部分である該係止爪の基端部と、当該基端部に連設された複数個の並列した先端部とからなり、当該複数個の先端部および前記基端部の前記口金頂面板に接触する側の面は平面形状に形成され、この平面形状の面と反対側の面との間に形成される側面部分はその厚みが先端に近づくに従って薄くなるような曲面形状に形成されていることを特徴とする薬用瓶の蓋。
【請求項２】
ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、
前記口金は、円筒体からなる周胴部の上面に口金頂面板を一体的に形成することによって構成され、前記口金頂面板にはその中央部に円形の透孔が穿設され、
前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、
前記係止爪は、前記頂面板との連設部分である該係止爪の基端部と、当該基端部に連設された該基端部の厚みよりも薄い厚みの先端部とからなり、当該先端部および前記基端部の前記口金頂面板に接触する側の面は平面形状に形成され、他側の面には厚みの異なる前記基端部と前記先端部との間に段差部が形成され、前記先端部の前記平面形状に形成された面と前記他側の面との間に形成される側面部分はその厚みが先端に近づくに従って薄くなるような曲面形状に形成されていることを特徴とする薬用瓶の蓋。
【考案の詳細な説明】
【技術分野】
【０００１】
本考案は、注射剤等の薬液や粉末状の薬を収納する薬用瓶の瓶口に装着する薬用瓶の蓋に関するものである。
【背景技術】
【０００２】
注射剤等の薬液を収納しその瓶口が注射針の挿通可能なゴム栓によって閉塞されている
薬用瓶は従来から広く使用されている。このような従来の薬用瓶の蓋の断面図を図５に示す。
【０００３】
この薬用瓶の蓋は、図５に示すように、アルミ等の軟質金属薄板によって逆有底円筒状に形成した口金１０と、前記口金１０の上半部に冠着させることのできる合成樹脂製の蓋部材本体２０との組み合わせによって構成されている。
【０００４】
口金１０は、適宜の高さをした周胴部１１の上面に口金頂面板１２を一体的に形成することによって逆有底円筒状に形成されている。
【０００５】
１３は口金頂面板１２の中央部に穿設した透孔であり、この透孔１３を通して薬用瓶１の瓶口１ａに嵌装したゴム栓３の上面が露出できるようになっている。この口金１０は瓶口１ａに巻締め固定されている。
【０００６】
口金１０の上面に冠着する蓋部材本体２０は、適宜の硬度を有する合成樹脂を用いて形成するものであり、円筒状の周胴部２１を口金１０の周胴部１１に少しだけかぶすことができるよう浅い倒皿状となるように形成されている。２２は、頂面板である。
【０００７】
蓋部材本体２０の頂面板２２の裏面側の中央部には、図５，図６に示すように、口金１０の口金頂面板１２に穿設した透孔１３の周縁部に当接しながら折り曲げ係止することができる複数個の係止爪２３が下方に向って延在するように連設されていて、この複数個の係止爪２３を透孔１３に嵌合させた後、口金１０の内側から折り曲げ加圧して周縁部方向に倒伏させることによって蓋部材本体２０を口金１０に係止させた状態にすることができる。
【０００８】
以上のように構成されている従来の薬用瓶の蓋は、内容物である薬液等の使用に際しては、使用者が蓋部材本体２０を口金１０から外してその内容物を使用している。
【０００９】
しかしながら、容量が小さい薬用瓶１においては、当然その蓋部材本体２０の大きさも小さくなり、図７（ａ），（ｂ）に示したように、使用者の指Ｆでは外しにくいという問題が生じていた。
【００１０】
さらに、このような容量の小さな薬用瓶の蓋を大量に外す必要がある場合には、例えばインフルエンザワクチンの集団予防接種などの場合には、使用者が指先を痛めてしまうという問題も生じていた。
【００１１】
このような問題を解消するために、本願出願人は、図８（ａ）に示すような係止爪２３の先端部２３ｂを半円形の形状にして、口金１０に対する挟持力を従来に比して小さくした薬用瓶の蓋を既に提案している（登録実用新案第３１８９８２５号公報）。
【００１２】
ここで、図８（ａ）に示す係止爪２３の断面の形状は図８（ｂ）に示すように長方形の形状となっている。このような断面の形状が長方形の係止爪２３を有する蓋部材本体２０を製造する過程においては、図９に示すように断面の角張る部分に所謂バリ２３ｃが発生し易く、製造過程の歩留りが悪くなる。従って、実際の製品としては、図１０（ａ）の斜視図および図１０（ｂ）の係止爪２３の断面図に示すように、係止爪２３の形状を、係止爪２３の口金頂面板１２に接触する面を平面形状に形成し、この面と反対側の面との間の側面部分を角張った所の無い曲面形状に形成して蓋部材本体２０を製造している。
【先行技術文献】
【特許文献】
【００１３】
【特許文献１】登録実用新案第３１８９８２５号公報
【考案の概要】
【考案が解決しようとする課題】
【００１４】
しかしながら、以上説明した従来の薬用瓶の蓋においては、口金１０に対する挟持力の微妙な調整が困難であるという新たな問題が発生する。
【００１５】
すなわち、係止爪２３の先端部２３ｂの長さや形状を変化させて口金１０に対する挟持力を変化させる際に、挟持力を微妙に変化させることが難しく、挟持力が小さい場合には、薬用瓶の運搬中等に蓋部材本体２０が外れてしまうという不都合が生じ、逆に挟持力が大きい場合には、使用時において蓋部材本体２０が外しにくいという不都合が生じてしまう。殊に、小さな薬用瓶の蓋においては、その困難度はさらに大きくなる。
【課題を解決するための手段】
【００１６】
以上の問題を解消するために本考案の第１の手段は、ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、前記口金は、円筒体からなる周胴部の上面に口金頂面板を一体的に形成することによって構成され、前記口金頂面板にはその中央部に円形の透孔が穿設され、前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、前記係止爪は、前記頂面板との連設部分である該係止爪の基端部と、当該基端部に連設された複数個の並列した先端部とからなり、当該複数個の先端部および前記基端部の前記口金頂面板に接触する側の面は平面形状に形成され、この平面形状の面と反対側の面との間に形成される側面部分はその厚みが先端に近づくに従って薄くなるような曲面形状に形成されていることを特徴とするものである。
【００１７】
また、以上の問題を解消するために本考案の第２の手段は、ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、前記口金は、円筒体からなる周胴部の上面に口金頂面板を一体的に形成することによって構成され、前記口金頂面板にはその中央部に円形の透孔が穿設され、前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、前記係止爪は、前記頂面板との連設部分である該係止爪の基端部と、当該基端部に連設された該基端部の厚みよりも薄い厚みの先端部とからなり、当該先端部および前記基端部の前記口金頂面板に接触する側の面は平面形状に形成され、他側の面には厚みの異なる前記基端部と前記先端部との間に段差部が形成され、前記先端部の前記平面形状に形成された面と前記他側の面との間に形成される側面部分はその厚みが先端に近づくに従って薄くなるような曲面形状に形成されていることを特徴とするものである。
【考案の効果】
【００１８】
本考案によれば、薬用瓶の口金に対する挟持力を微妙に調整することが可能な薬用瓶の蓋を提供することができる。
【図面の簡単な説明】
【００１９】
【図１】本考案の実施例１の構成を示す斜視図である。
【図２】本考案の実施例２の構成を示す斜視図である。
【図３】本考案の実施例２の構成の説明図である。
【図４】本考案の実施例２の構成の説明図である。
【図５】従来の薬用瓶の蓋の構成を示す断面図である。
【図６】従来の薬用瓶の蓋の構成を示す分解斜視図である。
【図７】従来の薬用瓶の蓋の説明図である。
【図８】従来の薬用瓶の蓋の説明図である。
【図９】従来の薬用瓶の蓋の説明図である。
【図１０】従来の薬用瓶の蓋の説明図である。
【考案を実施するための形態】
【００２０】
以下、図面を用いて本考案の実施例を説明する。
【実施例１】
【００２１】
図１（ａ）は本考案に係る蓋部材本体２０の構成を示した斜視図であり、図１（ｂ）は図１（ａ）に示した係止爪２４のみを拡大して示した斜視図である。
【００２２】
図１（ａ），（ｂ）において、従来例の構成を示した図８（ａ）と同一符号のものは同一のものを示している。
【００２３】
本実施例１が従来例と異なるところは係止爪２４の形状のみであるので、以下、係止爪２４の構成のみを説明し、その他の説明は省略する。
【００２４】
図１（ｂ）に示したように、本実施例１に係る係止爪２４は、頂面板との連設部分である基端部２４ａと、基端部２４ａに連設されている複数個の先端部２４ｂとによって構成されている。この複数個の先端部２４ｂは、並列するように形成されている。
【００２５】
また、基端部２４ａおよび先端部２４ｂの口金頂面板に接触する側の面２４ｃは平面形状に形成されており、この面２４ｃと反対側の面２４ｄとの間に形成される側面部分は、角張った所の無い曲面形状に形成されており、且つその厚みが先端に近づくに従って薄くなるような形状に形成されている。このように側面部分を曲面形状にすることにより、係止爪２４を角張った所の無い形状にすることができ、蓋部材本体２０の製造過程における所謂バリの発生を少なくすることができる。
【００２６】
以上のように構成された本実施例１によれば、先端部２４ｂの個数や大きさを変化させることで、口金に対する挟持力を微妙に調整することができる。
【実施例２】
【００２７】
図２（ａ）は本考案の実施例２の構成を示した斜視図であり、図２（ｂ）は係止爪２５のみを拡大して示した斜視図である。
【００２８】
本実施例２が実施例１と異なるところは係止爪２５の形状のみであり、その他の部分の構成は実施例１と同様の構成である。
【００２９】
本実施例２に係る係止爪２５は、図２（ｂ）に示したように、頂面板２２との連設部分である基端部２５ａと、基端部２５ａの厚みよりも薄い厚みの先端部２５ｂとによって構成されている。
【００３０】
本実施例２においても実施例１と同様に、口金頂面板に接触する側の面２５ｃは平面形状に形成され、この面２５ｃと反対側の面２５ｄとの間に形成される側面部分は、角張った所の無い曲面形状に形成されており、且つその厚みが先端に近づくに従って薄くなるような形状に形成されている。
【００３１】
ここで、本実施例２においては、厚みの異なる基端部２５ａと先端部２５ｂとの間に段差部２５ｅが形成されている。
【００３２】
この段差部２５ｅは、平面形状の面２５ｃとは反対側の曲面形状の面２５ｄの側に形成されている。このように段差部２５ｅを曲面形状の面２５ｄの側に形成することにより、図３（ａ），（ｂ）に示したように、係止爪２５と口金頂面板１２との密着度を高めることができ、その分だけ口金に対する挟持力の調整を容易に行なうことができる。もし、この段差部２５ｅを図４（ａ），（ｂ）に示すように平面形状の面２５ｃの側に形成すると、係止爪２５と口金頂面板１２との密着度が低くなってしまい、その分だけ口金に対する挟持力の微妙な調整が困難になってしまう。
【００３３】
以上のように構成された本実施例２によれば、先端部２５ｂの厚みを変化させることで、口金に対する挟持力を微妙に調整することができる。
【符号の説明】
【００３４】
１  薬用瓶
１ａ  瓶口
２  薬液
３  ゴム栓
１０  口金
１１，２１  周胴部
１２  口金頂面板
１３  透孔
２０  蓋部材本体
２２  頂面板
２３，２４，２５  係止爪
２３ａ，２４ａ，２５ａ  基端部
２３ｂ，２４ｂ，２５ｂ  先端部
２３ｃ  バリ
２４ｃ，２４ｄ，２５ｃ，２５ｄ  面
２５ｅ  段差部
Ｆ  指
【図１】
0003200354.tif 000003
【図２】
0003200354.tif 000004
【図３】
0003200354.tif 000005
【図４】
0003200354.tif 000006
【図５】
0003200354.tif 000007
【図６】
0003200354.tif 000008
【図７】
0003200354.tif 000009
【図８】
0003200354.tif 000010
【図９】
0003200354.tif 000011
【図１０】
0003200354.tif 000012